(57)【要約】【課題】  タバコ吸殻搬送装置の下流端に消火装置を設け、消火したタバコの吸殻を挿脱自在な吸殻収納容器に収納するものにおいて、可能な限り容器のタバコ収納量を多くすると共に、取り扱い易い消火装置とすること。【解決手段】  吸殻収納容器３に向けて所定間隔の時間ごとに吸殻収納容器３内の吸殻４に必要最小限の水をシャワー装置５を介して供給する。【選択図】        図１
2013009737.tif 000002
【特許請求の範囲】
【請求項１】
常時駆動される搬送体(1)を有する細長い搬送路(2)の下流端の下方に、挿脱自在に吸殻収納容器(3)が配置されたタバコ吸殻搬送装置であって、
その常時に吸殻収納容器(3)内に向けて、所定間隔の時間ごとに吸殻収納容器(3)内の吸殻(4)の消火に必要な程度の少量の水を散布することを特徴とするタバコ吸殻搬送装置の消火装置。
【請求項２】
請求項１に記載のタバコ吸殻搬送装置の消火装置において、
吸殻収納容器(3)の上方に、シャワー装置(5)が設けられ、そのシャワー装置(5)と水タンク(6)との間が、ポンプ(7)および開閉弁(8)を介して配管(9)で接続され、タイマ (10)により所定時間ごとに、開閉弁(8)を開放して、吸殻収納容器(3)内に向けて、吸殻(4)の消火に必要な程度の少量の水を散布することを特徴とするタバコ吸殻搬送装置の消火装置。
【請求項３】
請求項２に記載のタバコ吸殻搬送装置の消火装置において、
前記配管(9)中の開閉弁(8)とポンプ(7)との間から分岐した分岐管 (11)が設けられ、そのポンプ(7)は常時駆動され、開閉弁(8)の閉弁時には、配管(9)内の水を前記分岐管(11)から水タンク(6)に戻し、その開弁時には水を前記シャワー装置(5)に供給するように構成したタバコ吸殻搬送装置の消火装置。
【請求項４】
請求項３に記載のタバコ吸殻搬送装置の消火装置において、
開閉弁(8)の閉弁時には、配管(9)内の水を前記分岐管(11)から水タンク(6)に戻し、その開弁時には水を前記シャワー装置(5)に供給すると共に、その一部を水タンク(6)に戻すように構成したタバコ吸殻搬送装置の消火装置。
【発明の詳細な説明】
【技術分野】
【０００１】
本発明は、パチンコ機やスロット機が並列された遊戯店において、そのタバコ吸殻搬送装置の下流端の消火装置に関する。
【背景技術】
【０００２】
パチンコ店等の遊技場の店内には、多数のパチンコ機やスロット機が壁面や、所謂、島に沿って並列され、その下部に細長いカウンターが存在する。そして各遊戯機に灰皿が設置されている。その灰皿は、カウンターの孔に嵌着し、灰皿の底はスノコ状に形成され、吸殻が下方に落下する構造を有する。そしてカウンターの下面にはテンプレートが重ねられ、そのテンプレートにも吸殻落下口が設けられ、そのテンプレートの下面側にタバコ吸殻搬送装置が設けられている。そしてその搬送装置により、吸殻がカウンターに沿って搬送され、その下流端に設けた吸殻収納容器に回収される。
【０００３】
このような搬送装置は、エンドレスなベルト型と、螺旋搬送体のものとが存在する。
下記特許文献１に記載の消火装置は、貯水槽と搬送樋とを連通し、搬送樋の消火水の水位を貯水槽の水位に維持する。そして搬送樋中の消火水が吸殻に吸収されると、搬送樋の水位が低下する。この低下した水位より高い水位になっている貯水槽内の消火水が、搬送樋へ自然に流出する。
下記特許文献２に記載の消火部付きタバコ吸殻搬送装置は、搬送装置の下流端に透水性の吸殻捕捉部を配置し、その下方にフィルタ部，水タンクを配置し、消火部にポンプを介して水タンク内の水を供給し、余分な水を水タンクに戻すものである。
【先行技術文献】
【特許文献】
【０００４】
【特許文献１】特開平１１−４６７４６号公報
【特許文献２】特開２０１０−１３６６３７号公報
【発明の概要】
【発明が解決しようとする課題】
【０００５】
ベルトコンベア型のタバコ吸殻搬送装置であって、搬送樋に常に一定の水量を貯えタバコ吸殻を消火する装置においては、タバコに多くの水を含み、吸殻回収後の重量が大となると共に、回収容器に多くの水が進入し、後処理が面倒である欠点があった。さらには、比較的多くの水を使用するため、より大きな水タンクが必要となる。
特許文献２に記載の装置は、使用に伴い、通水性の吸殻捕捉部にタバコの吸殻が付着し目詰まりをするため、ときどき、その吸殻捕捉部を交換する必要があり、その取替えが面倒である欠点があった。
そこで本発明は、取り扱い易いタバコ吸殻搬送装置の消火装置を提供することを課題とする。
【課題を解決するための手段】
【０００６】
請求項１に記載の本発明は、常時駆動されている搬送体(1)を有する細長い搬送路(2)の下流端の下方に、挿脱自在に吸殻収納容器(3)が配置されたタバコ吸殻搬送装置であって、
その常時に吸殻収納容器(3)内に向けて、所定間隔の時間ごとに吸殻収納容器(3)内の吸殻(4)の消火に必要な程度の少量の水を散布することを特徴とするタバコ吸殻搬送装置の消火装置である。
【０００７】
請求項２に記載の本発明は、請求項１に記載のタバコ吸殻搬送装置の消火装置において、
吸殻収納容器(3)の上方に、シャワー装置(5)が設けられ、そのシャワー装置(5)と水タンク(6)との間が、ポンプ(7)および開閉弁(8)を介して配管(9)で接続され、タイマ (10)により所定時間ごとに、開閉弁(8)を開放して、吸殻収納容器(3)内に向けて、吸殻(4)の消火に必要な程度の少量の水を散布することを特徴とするタバコ吸殻搬送装置の消火装置である。
【０００８】
請求項３に記載の本発明は、請求項２に記載のタバコ吸殻搬送装置の消火装置において、
前記配管(9)中の開閉弁(8)とポンプ(7)との間から分岐した分岐管 (11)が設けられ、そのポンプ(7)は常時駆動され、開閉弁(8)の閉弁時には、配管(9)内の水を前記分岐管(11)から水タンク(6)に戻し、その開弁時には水を前記シャワー装置(5)に供給するように構成したタバコ吸殻搬送装置の消火装置である。
【０００９】
請求項４に記載の本発明は、請求項３に記載のタバコ吸殻搬送装置の消火装置において、
開閉弁(8)の閉弁時には、配管(9)内の水を前記分岐管(11)から水タンク(6)に戻し、その開弁時には水を前記シャワー装置(5)に供給すると共に、その一部を水タンク(6)に戻すように構成したタバコ吸殻搬送装置の消火装置である。
【発明の効果】
【００１０】
本発明のタバコ吸殻搬送装置の消火装置は、吸殻収納容器３内に向けて、所定間隔の時間ごとに吸殻４の消火に必要な程度の少量の水を散布するようにしたから、吸殻収納容器３の取り出しを容易にすることができる。
即ち、吸殻収納容器３内に供給する水を必要最小限として、吸殻収納容器３の取出し時の重量を必要最小限とし、その廃棄作業を容易とすることができる。それと共に、吸殻収納容器３内の吸殻収納量を増大させ、吸殻収納容器３の取出し間隔を長く維持することができる。
【００１１】
上記構成において、請求項２に記載のように、吸殻収納容器３の上方にシャワー装置５を設け、シャワー装置５と水タンク６との間をポンプ７及び開閉弁８を介して配管９で接続し、タイマ10により所定時間ごとに開閉弁８を開放して、吸殻収納容器３内に向けて吸殻４の消火に必要な程度の少量の水を散布するようにした場合には、構造が簡単で信頼性の高いタバコ吸殻搬送装置の消火装置を提供できる。
【００１２】
上記構成において、請求項３に記載のように、配管９中に開閉弁８とポンプ７との間から分岐した分岐管11を設け、そのポンプ７は常時駆動し、開閉弁８の閉弁時には分岐管11から水タンク６に水を戻し、開弁時には水をシャワー装置５に供給するようにした場合には、ポンプ７の寿命を延ばし且つ、比較的簡単なポンプ７によって消火水を定間隔ごとに確実に供給することができる。
即ち、ポンプ７のＯＮ−ＯＦＦ動作を不要とし、ポンプ７の起動及び停止に伴うポンプ７の寿命低下を防止できる。
【００１３】
上記構成において、請求項４に記載のように、開閉弁８の閉弁時には配管９内の水を分岐管11から水タンク６に戻し、その開弁時には水をシャワー装置５に供給すると共に、その一部を水タンク６に戻すようにした場合には、開閉弁８の開閉に伴い、ポンプ７に加わる水撃等の圧力変動を小さくし、ポンプ７の寿命を延ばすことができる。
【図面の簡単な説明】
【００１４】
【図１】本発明のタバコ吸殻搬送装置の消火装置の説明図。
【図２】同消火装置の吸殻収納容器３の上方からみた説明図。
【図３】同消火装置に用いられるタイマ10のＯＮ−ＯＦＦ動作の説明図。
【発明を実施するための形態】
【００１５】
次に、図面に基づいて本発明の実施の形態につき説明する。
図１は本発明の消火装置を有するタバコ吸殻搬送装置の縦断面図である。
このタバコ吸殻の搬送体１は、テンプレート17の下面側に設けた樋状の搬送路２内に配置されている。その一端にはモータ15が設けられている。樋18は横断面Ｕ字状に形成され、その内面が搬送体１の螺旋羽根に接触又は近接する。
【００１６】
テンプレート17には、各遊戯機に吸殻落下口14が穿設され、そこから矢印の如くタバコの吸殻が搬送路２内に落下する。搬送路２の下流端には、吸殻収納容器３が挿脱自在に配置されている。この例では、吸殻収納容器３の下方には水タンク６が設けられている。その水タンク６内には水が定レベルに供給される。
【００１７】
吸殻収納容器３の上方には、図１及び図２に示すシャワー装置５が設けられている。このシャワー装置５は、この例ではヘッダ12に複数の水供給管が並列され、各供給管に定間隔にノズル孔13が設けられている。そしてヘッダ12とポンプ７との間に開閉弁８を介して配管９が配管され、その開閉弁８とポンプ７との間から分岐管11が分岐し、その先端が水タンク６内に挿入される。そして開閉弁８は、タイマ10により開閉自在に制御される。
【００１８】
タイマ10は、一例として図３に示す如く、30秒〜５分程度の比較的長い時間ごとに短い時間、例えば１秒〜数秒程度、開閉弁８を開放する。そしてポンプ７は常時駆動され、分岐管11を介して水タンク６内の水を循環させている。そしてタイマ10がＯＮしたときのみ、開閉弁８を開放し、シャワー装置５のノズル孔13から水を噴射する。その噴射量は、吸殻収納容器３内のタバコを消火するに十分な必要最小限とする。その最小量の調整のため、タイマ10は、そのＴ１及びＴ２を可変できるものが好ましい。そして時間Ｔ１ごとに時間Ｔ２だけノズル孔13から水を噴射し、吸殻収納容器３内の吸殻４を消火する。
【００１９】
この水は、吸殻収納容器３の底に溜まらない程度とする。それによって、吸殻収納容器３に収納する吸殻４の収納量を多くすることができる。そして、吸殻収納容器３の取出し回数を少なくし且つ、その取出しの際にも重量を軽くすることができる。また、吸殻収納容器３内の吸殻４の処理を容易にすることができる。
【符号の説明】
【００２０】
１  搬送体
２  搬送路
３  吸殻収納容器
４  吸殻
５  シャワー装置
６  水タンク
７  ポンプ
８  開閉弁
９  配管
10  タイマ
【００２１】
11  分岐管
12  ヘッダ
13  ノズル孔
14  吸殻落下口
15  モータ
16  軸受
17  テンプレート
18  樋
【図１】
2013009737.tif 000003
【図２】
2013009737.tif 000004
【図３】
2013009737.tif 000005